(57)【要約】      （修正有）【課題】電力の消費量と、二酸化炭素の排出量と、を表示可能であり、電流が大きすぎる場合には、警報音声が発するエクステンションソケットを提供する。【解決手段】ケース１０を有し、ケースにプラグ挿入穴１１が複数設けられ、各プラグ挿入穴に一つのプラグを挿入して電力を得ることができ、その末端には、一つのプラグ１４を有する延長用ケーブルを設けてエクステンションソケットを構成する。ケースの表面には、ディスプレイ１５と、操作ボタン１６と、が設けられ、エクステンションソケットの回路にマイクロプロセッサ２０を設ける。マイクロプロセッサにより、エクステンションソケットの回路の電流が検知されて、電力の消費と、二酸化炭素の排出量と、電気代と、が算出されて、これらの情報がディスプレイに表示され、エクステンションソケットの電流が大きすぎる場合には、マイクロプロセッサにより警報器が警告音声を発する。【選択図】図２
0003164509.tif 000002
【実用新案登録請求の範囲】
【請求項１】
ケースを有し、前記ケースにプラグ挿入穴が複数設けられ、前記各プラグ挿入穴に一つのプラグを挿入して電力を得ることができ、その末端には、一つのプラグを有する延長用ケーブルが設けられるエクステンションソケットにおいて、
前記ケースの表面には、ディスプレイと、操作ボタンと、が設けられ、前記エクステンションソケットの回路にマイクロプロセッサが設けられ、前記マイクロプロセッサにより、エクステンションソケットの回路の電流が検知されて、電力の消費と、二酸化炭素の排出量と、電気代と、が算出されて、これらの情報が前記ディスプレイに表示され、前記エクステンションソケットの電流が大きすぎる場合には、前記マイクロプロセッサにより警報器が警告音声を発することを特徴とするエクステンションソケット。
【請求項２】
前記ディスプレイはＬＣＤディスプレイであることを特徴とする、請求項１に記載のエクステンションソケット。
【請求項３】
前記警報器は、前記マイクロプロセッサと電気的に接続する警告回路と、前記警告回路に駆動可能なスピーカと、から構成されることを特徴とする、請求項１に記載のエクステンションソケット。
【請求項４】
その回路に電源回路が設けられ、前記電源回路により交流電力が直流電力に変換されて前記マイクロプロセッサに供給することを特徴とする、請求項１に記載のエクステンションソケット。
【請求項５】
前記マイクロプロセッサには、発振回路が電気的に接続されることを特徴とする、請求項１に記載のエクステンションソケット。
【請求項６】
前記マイクロプロセッサには、信号キャプチャ回路が電気的に接続され、前記信号キャプチャ回路により前記エクステンションソケットの電流が検知されて、前記マイクロプロセッサにより電力消費量が算出されることを特徴とする、請求項１に記載のエクステンションソケット。
【考案の詳細な説明】
【技術分野】
【０００１】
本考案は、エクステンションソケットに関し、特に、電力の消費量と、二酸化炭素の排出量と、を表示可能であり、電流が大きすぎる場合には、警報音声が発するエクステンションソケットに関するものである。
【背景技術】
【０００２】
電子化時代になった現在では、大量の電気製品が使用されるため、エクステンションソケットにより電気製品に電力を供給することが必要である。従来のエクステンションソケットは、複数のプラグ挿入穴が設けられるケースと、前記ケースの末端から延びプラグを有する延長ケーブルと、から構成される。前記延長ケーブルにより前記ケースを市電のソケットからより遠い箇所に設置することができる。
【０００３】
より先進的なエクステンションソケットにヒューズが設けられ、電流が大きすぎるときには、ヒューズが溶けて電流が切られ、事故を防止することができる。しかし、このようなエクステンションソケットによれば、ヒューズが溶けないと、ユーザは電流が大きすぎる状態を知らないため、事前に予防することができない。
【０００４】
上記の問題を解決するために、特許文献１の日本国特開２０００−２４１４６５号と、特許文献２の日本国特開２０００−１４７０１４号と、の「簡易型電力消費量表示器」が提案された。このような簡易型電力消費量表示器は、エクステンションソケットにＬＣＤディスプレイが設けられ、エクステンションソケットの回路に電力検知装置が設けられ、これにより、電力の消費量が前記ＬＣＤディスプレイに表示され、電力の消費量の表示がディジタル化されるため、ユーザは一目で電力の消費量を知ることができる。
【０００５】
更に、電力の消費量を表示する他に、エクステンションソケットに設けられるＬＣＤディスプレイに二酸化炭素の排出量を表示するものも市販しており、二酸化炭素の排出量は、エクステンションソケットの内部にある回路により電力の消費量から算出される。
【０００６】
しかしながら、このようなエクステンションソケットによれば、電力の消費量と、二酸化炭素の排出量とを表示可能であるが、ユーザがＬＣＤディスプレイを監視しないと、電力の消費量が多すぎる状態を知ることができない問題があった。
【先行技術文献】
【特許文献】
【０００７】
【特許文献１】日本国特開２０００−２４１４６５号
【特許文献２】日本国特開２０００−１４７０１４号
【考案の概要】
【考案が解決しようとする課題】
【０００８】
本考案の主な目的は、電力の消費量と、二酸化炭素の排出量と、を表示可能であり、電流が大きすぎる場合には、警報音声が発するエクステンションソケットを提供することにある。
【課題を解決するための手段】
【０００９】
本考案のエクステンションソケットによると、ケースを有し、前記ケースにプラグ挿入穴が複数設けられ、前記各プラグ挿入穴に一つのプラグを挿入して電力を得ることができ、その末端には、一つのプラグを有する延長用ケーブルが設けられるエクステンションソケットにおいて、
前記ケースの表面には、ディスプレイと、操作ボタンと、が設けられ、前記エクステンションソケットの回路にマイクロプロセッサが設けられ、前記マイクロプロセッサにより、エクステンションソケットの回路の電流が検知されて、電力の消費と、二酸化炭素の排出量と、電気代とが算出されて、これらの情報が前記ディスプレイに表示され、前記エクステンションソケットの電流が大きすぎる場合には、前記マイクロプロセッサにより警報器が警告音声を発することを特徴とする。
【００１０】
本考案のエクステンションソケットによると、前記ディスプレイはＬＣＤディスプレイであることを特徴とする。
【００１１】
本考案のエクステンションソケットによると、前記警報器は、前記マイクロプロセッサと電気的に接続する警告回路と、前記警告回路に駆動可能なスピーカと、から構成されることを特徴とする。
【００１２】
本考案のエクステンションソケットによると、その回路に電源回路が設けられ、前記電源回路により交流電力が直流電力に変換されて前記マイクロプロセッサに供給することを特徴とする。
【００１３】
本考案のエクステンションソケットによると、前記マイクロプロセッサには、発振回路が電気的に接続されることを特徴とする。
【００１４】
本考案のエクステンションソケットによると、前記マイクロプロセッサには、信号キャプチャ回路が電気的に接続され、前記信号キャプチャ回路により前記エクステンションソケットの電流が検知されて、前記マイクロプロセッサにより電力消費量が算出されることを特徴とする。
【考案の効果】
【００１５】
本考案のエクステンションソケットによれば、次のような効果がある。
（１）電力の消費量と二酸化炭素の排出量と、電気代となどを表示可能であるため、エクステンションソケットのオーバーロードを事前に防止でき、寿命を延長することができる。
【００１６】
（２）操作が極めて簡易である。
【００１７】
（３）交流電流が１５Ａを超える場合には、スピーカ２６により警報音声が発するため、ユーザはエクステンションソケットのオーバーロードを容易に防止できる。
【図面の簡単な説明】
【００１８】
【図１】本考案の一実施例の斜視図である。
【図２】本考案のブロック図である。
【図３】本考案の回路図である。
【図４】本考案のディスプレイの操作プロセスを示すフローチャートである。
【考案を実施するための形態】
【００１９】
以下、本考案の実施の形態を図面に基づいて説明する。
まず、図１を参照されたい。本考案のエクステンションソケットは、ケース１０を有し、ケース１０にプラグ挿入穴１１が複数設けられ、各プラグ挿入穴１１に一つのプラグを挿入して電力を得ることができる。もちろん、ケース１０にプラグ挿入穴１１の電力のオン・オフを制御するスイッチ（図示せず）を設けてもよい。ケース１０の末端から延長用ケーブル１３が設けられ、延長用ケーブル１３に一つのプラグ１４が設けられる。
【００２０】
本考案の最も重要な特徴は、ケース１０にディスプレイ１５が設けられ、ケース１０の内部には、マイクロプロセッサと、警報器と、が設けられる。ディスプレイ１５は、エクステンションソケットの電力の消費量と、二酸化炭素の排出量と、電気代と、を表示するものであり、ＬＣＤディスプレイでもよく、その近所に操作ボタン１６が設けられる。警報器は、警報音声を発するものであり、図２に示すように、例えばスピーカ２６である。
【００２１】
図２及び図３を参照されたい。図２は本考案のブロック図であり、図３は本考案の回路図である。１００ボルトの交流電力がプラグ１４を経由して電源回路２１に流入し、電源回路２１により１００ボルトの交流電力が５ボルトの直流電力に変換されてマイクロプロセッサ２０（ＭＰＵ）に供給する。発振回路２２はマイクロプロセッサ２０と電気的に接続する。信号キャプチャ回路２３は、ケーブルから電力の変化をキャプチャしてマイクロプロセッサ２０を伝送する。このような回路設計によれば、全体の体積を小型化にすることができ、エクステンションソケットのケース１０の内部に取付けることができ、エクステンションソケットの全体の寸法が増加しない。一方、マイクロプロセッサ２０は、信号キャプチャ回路２３によりエクステンションソケットの電流を検知して、電量の消費量を算出して、ＬＣＤ駆動回路２４により検知の結果の数値がディスプレイ１５に表示する。また、エクステンションソケットの交流電流が１５Ａを超える場合には、警告回路２５によりスピーカ２６が駆動されて警報音声を発する。更に、マイクロプロセッサ２０の内部には、演算回路２７が設けられ、演算回路２７は、信号キャプチャ回路２３により得られる電量の消費量を基づいて、二酸化炭素の排出量と電気代となどを算出する。
【００２２】
図４を参照されたい。図４は本考案のディスプレイ１５の操作プロセスを示すフローチャートである。本考案のエクステンションソケットに通電した後、ディスプレイ１５に電力値が表示され、その後、操作ボタンを押圧するごとに、図４に示すように、下記のデータが順次に表示する。
【００２３】
１. 電力値：現在のロードの消費パワーを表示し、消費パワーは電流に電圧をかけて得られ、５ワット以下のロードは検知できない。ロードの消費パワーが１５００ワットを超えるときには、電力値が即時に表示すると共に、液晶が点滅しながら、スピーカ２６が警報音声を発する。なお、ロードの消費パワーが１４８０ワット以下になるときには、オーバーロード状態が解除され、ディスプレイ１５の画面が元の画面に回復する。
【００２４】
２.経過時間（時間）：通電から今までの時間（０〜９９９時間）である。
【００２５】
３.電力量（ＫＷＨ）：毎分間にサンプリングする電力値（ワット）を６００００ワットで割って累積に加算して得られる数値（１〜９９９ＫＷＨ）である。
【００２６】
４.二酸化炭素の排出量（Ｋｇ−ＣＯ２）：電力量にＣＯ２排出係数（０．５５５Ｋｇ−ＣＯ２）をかけて得られる数値である。
【００２７】
５.電気代（円）：電力量に電気代単価（１５〜３０円）をかけて得られる数値である。
【００２８】
６.平均電気代（円／時間）：電気代を経過時間で割って得られる数値である。
【００２９】
７.経過時間と電力量と電気代とのうちの何れかの一つが上限値になるときには、各データの計時および検知が停止され、ディスプレイが点滅し始め、表示する最終値が保留される。
【００３０】
８.上限値をクリアし、又は計時および検知を再開したいときには、操作ボタン１６を１０秒間連続で押圧してビープ音が発されるとデータがクリアされ、計時および検知を再開することができる。
【００３１】
本考案の電気代単価の設定方法は下記に示す。
１.操作ボタン１６を５秒間連続で押圧すると、ビープ音が発して電気代単価設定モードに入り、このとき、ディスプレイの画面は、電気代単価を表示し、０．５秒／回の頻度で点滅する。
【００３２】
２.電気代単価の最初値は２２円／ＫＷＨであり、操作ボタン１６を押圧するごとに１円が増加し、且つ設定可能な範囲は１５〜３０円／ＫＷＨである。
【００３３】
３.設定が終了したと、操作ボタン１６を５秒間連続で押圧しないと、ディスプレイ１５の画面が元の画面に戻る。
【００３４】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００３５】
本考案は、エクステンションソケットに適用することができる。
【符号の説明】
【００３６】
１０：ケース、１１：プラグ挿入穴、１３：延長用ケーブル、１４：プラグ、１５：ディスプレイ、１６：操作ボタン、２０：マイクロプロセッサ、２１：電源回路、２２：発振回路、２３：信号キャプチャ回路、２４：ＬＣＤ駆動回路、２５：警告回路、２６：スピーカ、２７：演算回路。
【図１】
0003164509.tif 000003
【図２】
0003164509.tif 000004
【図３】
0003164509.tif 000005
【図４】
0003164509.tif 000006